(57)【要約】【課題】誰でも簡単に掛け外しすることのできるボタンを提供することを目的とする。【解決手段】本発明のボタンは、ボタンの裏面に、底面部と、底面部からボタンの外周縁に向かってボタンの厚さが減少する傾斜面部が設けられており、底面部に対する傾斜面部の傾斜角度が１５°から５０°の範囲であることを特徴とするものである。【選択図】　図２
2004024771.tif 000002
【特許請求の範囲】
【請求項１】
ボタンの裏面に、底面部と、底面部からボタンの外周縁に向かってボタンの厚さが減少する傾斜面部が設けられており、底面部に対する傾斜面部の傾斜角度が１５°から５０°の範囲であることを特徴とするボタン。
【発明の詳細な説明】
【０００１】
【発明の属する技術分野】
本発明は、ボタンに関するものである。
【０００２】
【従来の技術】
従来、ボタンＡは、図４に示すように、ほぼ均一の厚さの円板状に形成されており、中央部分に縫い糸Ｃが挿通される糸通し穴Ｂが形成されている。そして、糸通し穴Ｂに挿通された縫い糸Ｃを布地Ｘに縫い付けて、ボタンＡを衣類等の布地Ｘに止着している。
【０００３】
【発明が解決しようとする課題】
しかしながら、上記のボタンＡは、底面Ｄが平らであるため、布地ＸにボタンＡを縫着した際に、ボタンＡと布地Ｘとの隙間Ｓが非常に狭小となる。したがって、ボタンＡを手指でつまみにくく、特に、指先を動かしにくい老人や子供などは、ボタンホールに掛け外しする動作が非常に困難となり、場合によっては他人の介助が必要となる不具合がある。
【０００４】
本発明は上記問題点に鑑みて提案されたものであって、誰でも簡単に掛け外しすることのできるボタンを提供することを目的とする。
【０００５】
【課題を解決するための手段】
以上の目的を達成するために、本発明のボタンは、
ボタンの裏面に、底面部と、底面部からボタンの外周縁に向かってボタンの厚さが減少する傾斜面部が設けられており、底面部に対する傾斜面部の傾斜角度が１５°から５０°の範囲であることを特徴とするものである。なお、前記傾斜角度は約３０°であることが最も好ましい。
【０００６】
【発明の実施の形態】
以下に、本発明の実施の形態を詳細に説明する。
【０００７】
本実施形態のボタン１は、通常シャツやブラウス等に用いられるもので、図１、図２に示すように、直径が約１０ｍｍで、中央部分の厚さが約３ｍｍ、周縁の厚さが約１ｍｍの平面視円形状に形成されている。
ボタン１の表面には、凹面部２が形成されており、凹面部２の周縁からボタン１の周縁に向かってボタンの厚さが減少する表側傾斜面部３が設けられている。ボタン１の裏面には、その中央に底面部４が形成されており、また、底面部４の周縁部外方には、底面部４の周縁からボタン１の外周縁に向かってボタンの厚さが減少する傾斜面部としての裏側傾斜面部５が設けられている。
【０００８】
ここで、図２に示すように、裏側傾斜面部５の底面部４に対する傾斜角度をθとすると、裏側傾斜面部５は、傾斜角度θが３０°となるように設けられている。
【０００９】
また、凹面部２と底面部４とは、糸通し穴６により連通している。
【００１０】
なお、ボタン１は、不飽和ポリエステル樹脂製で、切削加工により形成されている。
【００１１】
ボタン１は、図３に示すように、糸通し穴６にそれぞれ挿通された縫い糸７を衣類等の布地Ｘに縫い付けることにより、布地Ｘに縫着されている。
そして、ボタン１を図示しないボタンホールに掛止させる際には、図３に示すように、例えば、親指と人差し指とを用いてボタン１の周縁部をつまむ。
【００１２】
このとき、人差し指をボタン１の表側傾斜面部３の一部に当接させて、ボタン１の周縁を布地Ｘ側に押し付けると、押し付けた部分と反対側の周縁が布地Ｘに対して持ち上がり、ボタン１の周縁と布地Ｘとの間の隙間Ｓが拡大する。そして、大きく開いた隙間Ｓに親指Ｅを挿入し、親指Ｅをボタン１の裏面側傾斜面部５に当接させることにより、ボタン１を親指Ｅと人差し指Ｆとでつまむ。
【００１３】
以上のように、本実施形態のボタン１は、ボタン裏面に底面部４と裏側傾斜面部５とを設けたものであるので、布地Ｘにボタン１を止着した際に、ボタン１と布地Ｘとの間に、底面部４の周縁からボタン１の外周縁に向かって拡開する隙間が形成される。したがって、ボタン１と布地Ｘとの隙間Ｓに指先を入れやすく、誰でも簡単かつ確実にボタン１をつまむことができる。さらに、上述したように、ボタンの周縁の一部を布地Ｘ側に押し付けると、押し付けた部分と反対側の周縁が布地Ｘに対して持ち上がるため、ボタン１の周縁と布地Ｘとの間の隙間Ｓが、より大きく開く。したがって、ボタン１と布地Ｘとの隙間Ｓにさらに指先を入れやすい状態となるため、容易かつ確実にボタン１をつまむことができる。このように、本実施の形態のボタン１は、誰でも簡単につまんで掛け外しすることができる。
【００１４】
ところで、本願発明者は、ボタン１と布地Ｘとの間に形成される隙間Ｓに指先を入れやすく、ボタンの掛け外しを容易にするために、裏側傾斜面部５の傾斜角度θの異なるものを多数形成して実験を行った。その結果、傾斜角度θが１０°未満であると、裏側傾斜面部５と布地Ｘとの間に、手指を差し入れるだけの隙間がほとんど形成されず、従来のボタンと同様に掛け外しがしにくいという問題が生じ、傾斜角度θが５０°を越えると、裏側傾斜面部５が非常に急な傾斜面を形成するため、手指を当接させるに十分な面積を得ることができず、裏側傾斜面部５に手指を当接した場合に、手指が滑ってボタン１の掛け外しがスムーズに行えないという問題が生じた。
【００１５】
すなわち、傾斜角度θの値は、１５°から５０°までの範囲が好ましいという結論を得るとともに、傾斜角度θの値の最適値は、３０°であるという結論を得たのである。
【００１６】
つまり、本実施の形態のボタン１は、裏側傾斜面部の傾斜角度θが３０°であるので、ボタン１と布地Ｘとの間に形成される隙間Ｓに指先を入れやすい上、指先を裏側傾斜面部５にフィットさせやすいため、誰でも簡単に掛け外しができる。
【００１７】
また、ボタン１は、裏側傾斜面部５だけでなく表側傾斜面部３をも設けたものであるので、手指を表側傾斜面部３および裏側傾斜面部５にそれぞれ確実に当接させることができる。したがって、各指先をボタン１にさらに良好にフィットさせることができるため、ボタン１を確実につまむことができる。
【００１８】
なお、本実施の形態では、裏側傾斜面部５だけでなく表側傾斜面部３も設けたが、表側傾斜面部３は必ずしも必要ではない。
【００１９】
また、ボタン１の材質は、不飽和ポリエステル樹脂に限られず、他の合成樹脂、例えば、ナイロン樹脂、ユリア樹脂、ＡＢＳ樹脂あるいはシリコン樹脂等であってもよい。また、貝等の天然素材や金属であってもよい。
【００２０】
また、製造方法は、切削加工に限定されず、射出成形でもよい。
【００２１】
また、裏側傾斜面部５の傾斜角度θを３０°としたが、この角度に限られることはなく、１０°から５０°の範囲であればよい。
【００２２】
また、裏側傾斜面部５の傾斜面は、図２に示すように縦断面視直線状に形成されているが、必ずしも直線状に形成されていなくてもよい。すなわち、やや凸状に膨らんだ形状でもよいし、やや凹状にへこんだ形状をしていても構わない。
【００２３】
さらに、表側傾斜面部３、裏側傾斜面部５の傾斜面は、平滑でなくてもよく、粗面に形成してもよい。すなわち、例えば、傾斜面に細い溝を多数形成することにより、傾斜面に滑り止め加工を施してもよい。このようにすれば、より一層ボタン１を手指で確実につまむことができる。
【００２４】
また、本実施の形態では、ボタン１の大きさは、シャツやブラウス等に用いるボタンとして好適な大きさである直径約１０ｍｍに形成したが、ボタンの大きさはこれに限られず、例えば、パジャマ等に用いるボタンとして好適な大きさである直径約１８ｍｍから２０ｍｍ程度に形成したものでもよい。
【００２５】
【発明の効果】
以上のごとく本発明のボタンは、
ボタンの裏面に、底面部と、底面部からボタンの外周縁に向かってボタンの厚さが減少する傾斜面部が設けられており、底面部に対する傾斜面部の傾斜角度が１５°から５０°の範囲であるので、
布地にボタンを止着した際に、ボタンと布地との間に、底面部からボタンの外周縁に向かって拡開する隙間が形成されるため、ボタンと布地との隙間に指先を入れやすく、誰でも簡単かつ確実にボタンをつまむことができる。
また、ボタンの周縁の一部を布地側に押し付けると、押し付けた部分と反対側の周縁部が布地に対して持ち上がり、ボタンの周縁と布地との間により大きな隙間が形成されるため、ボタンと布地との隙間にさらに指先を入れやすくなり、誰でも容易かつ確実にボタンをつまむことができる。
したがって、本発明のボタンによれば、誰でも簡単にボタンの掛け外し動作をすることができる。
【図面の簡単な説明】
【図１】本発明に係る１実施形態のボタンを拡大して示す底面図。
【図２】図１におけるボタンの縦断面図。
【図３】図１におけるボタンの使用状態を示す説明図。
【図４】従来のボタンの使用状態を示す説明図。
【符号の説明】
１　　　ボタン
４　　　底面部
５　　　裏側傾斜面部（傾斜面部）
θ　　　傾斜角度
【図１】
2004024771.tif 000003
【図２】
2004024771.tif 000004
【図３】
2004024771.tif 000005
【図４】
2004024771.tif 000006